(57)【要約】【課題】外観意匠性に優れた外壁施工構造を提供すること。【解決手段】上部下実部１１と下部上実部１２とを有する外壁板１０を、上下合決り接合して外壁を構築してなる外壁施工構造１。外壁板１０は、意匠面１００に横目地部と凸部１０１とを有する。意匠面１００の下端部には後方に傾斜した下端傾斜部１２０を設け、意匠面１００の上端には凸部１０１よりも後退した接合目地部１３を設けてなる。互いに上下合決り接合された２つの外壁板１０において、上側の外壁板１０の下端傾斜部１２０と、下側の外壁板１０の接合目地部１３とは、上下に隣接配置されていると共に、接合目地部１３の前端部１３０は、下端傾斜部１２０の下端部１２１よりも前方に突出配置されている。接合目地部１３は、前端部１３０から下方へ向かうに従って後方へ傾斜した目地傾斜部１３２と、該目地傾斜部１３２の下端から鉛直方向に向かって形成された目地平坦部１３３とを有する。【選択図】図１
2006265955.tif 000002
【特許請求の範囲】
【請求項１】
上辺に設けた上部下実部と下辺に設けた下部上実部とを有する外壁板を、複数枚上下合決り接合しつつ施工して、外壁を構築してなる外壁施工構造であって、
上記外壁板は、意匠面に横目地部と該横目地部の間に形成される凸部とを有し、
上記意匠面の下端部には後方に傾斜した下端傾斜部を設け、上記意匠面の上端には上記凸部よりも後退した接合目地部を設けてなり、
互いに上下合決り接合された２つの上記外壁板において、上側の外壁板の上記下端傾斜部と、下側の外壁板の上記接合目地部とは、上下に隣接配置されていると共に、上記接合目地部の前端部は、上記下端傾斜部の下端部よりも前方に突出配置されており、
上記接合目地部は、上記前端部から下方へ向かうに従って後方へ傾斜した目地傾斜部と、該目地傾斜部の下端から鉛直方向に向かって形成された目地平坦部とを有することを特徴とする外壁施工構造。
【請求項２】
請求項１において、上記接合目地部の前端部は、上記下端傾斜部の下端部よりも、上記横目地部の深さの５〜２５％の厚み分、前方に突出配置されていることを特徴とする外壁施工構造。
【請求項３】
請求項１又は２において、上記下端傾斜部の下端部に対する上記接合目地部の上記前端部の前方への突出量ａと、上記下端傾斜部の下端部に対する上記接合目地部の上記目地平坦部の前方への突出量ｂとは、０．３ａ≦ｂ≦０．９ａの関係を有することを特徴とする外壁施工構造。
【請求項４】
請求項３において、上記目地傾斜部は、鉛直方向に対して５〜３０°の角度を有することを特徴とする外壁施工構造。
【請求項５】
請求項１〜４のいずれか一項において、上記接合目地部の前端部は、曲面によって構成されていることを特徴とする外壁施工構造。
【発明の詳細な説明】
【技術分野】
【０００１】
本発明は、複数の外壁板を上下に合決り接合しつつ施工して、外壁を構築してなる外壁施工構造に関する。
【背景技術】
【０００２】
従来より、図５に示すごとく、外壁板９０の上辺に設けた上部下実部９１に、外壁板９０の下辺に設けた下部上実部９２を覆い重ねて、複数枚の外壁板９０を上下に合決り接合して施工してなる外壁施工構造９がある。
該外壁施工構造９においては、上側の外壁板９０の意匠面９００の下端における下端角部９２１と、下側の外壁板９０の意匠面９００の上端に形成された接合目地部９３とが、前後位置において一致するように上部下実部９１と下部上実部９２とを接合する。
【０００３】
しかし、図６に示すごとく、外壁下地面の不陸、施工誤差、あるいは外壁板９０の寸法誤差等により、上側の外壁板９０が下側の外壁板９０に対して前方に突出しすぎて、下端角部９２１が接合目地部９３よりも前方に突出することがある。これにより、上記下端角部９２１と上記接合目地部９３に段差Ｓが生じると、斜め上方からの日差しＬにより、上記接合目地部９３に上記下端角部９２１の影が映ってしまう。そして、その影は外壁面の左右方向にわたって連続形成され、意匠面９００の外観が分断されて美観が損なわれる場合がある。
【０００４】
また、上下の壁板の接合部において、影が形成されることを防ぐ手段として、表面の下端部に面取り部を設けた壁板の接合構造が提案されている（特許文献１参照）。
しかしながら、上記特許文献１の壁板施工構造は、継ぎ目のない大壁風仕上げの外壁を対象とするものである。そのため、わずかなズレも目立ちやすく、面取り部の傾斜も大きくすることはできない。それ故、壁板の前後のズレとしては、わずかなズレしか想定されていない。
したがって、外壁を施工する場合における、外壁下地面の不陸、施工誤差、あるいは外壁板の寸法誤差等に充分対応することは困難である。
【０００５】
【特許文献１】実開平６−４０１６８号公報
【発明の開示】
【発明が解決しようとする課題】
【０００６】
本発明は、かかる従来の問題点に鑑みてなされたもので、外観意匠性に優れた外壁施工構造を提供しようとするものである。
【課題を解決するための手段】
【０００７】
本発明は、上辺に設けた上部下実部と下辺に設けた下部上実部とを有する外壁板を、複数枚上下合決り接合しつつ施工して、外壁を構築してなる外壁施工構造であって、
上記外壁板は、意匠面に横目地部と該横目地部の間に形成される凸部とを有し、
上記意匠面の下端部には後方に傾斜した下端傾斜部を設け、上記意匠面の上端には上記凸部よりも後退した接合目地部を設けてなり、
互いに上下合決り接合された２つの上記外壁板において、上側の外壁板の上記下端傾斜部と、下側の外壁板の上記接合目地部とは、上下に隣接配置されていると共に、上記接合目地部の前端部は、上記下端傾斜部の下端部よりも前方に突出配置されており、
上記接合目地部は、上記前端部から下方へ向かうに従って後方へ傾斜した目地傾斜部と、該目地傾斜部の下端から鉛直方向に向かって形成された目地平坦部とを有することを特徴とする外壁施工構造にある（請求項１）。
【０００８】
次に、本発明の作用効果につき説明する。
上記外壁施工構造において、上記外壁板の意匠面の下端部には、後方に傾斜した上記下端傾斜部が形成されている。そのため、上側の外壁板の下部上実部の影が接合目地部に形成されることを防ぐことができる。
また、下側の外壁板における上記接合目地部の前端部は、上側の外壁板における上記下端傾斜部の下端部よりも前方に突出している。そのため、上記接合目地部において、上側の外壁板の下部上実部の影が形成されることを防ぐことができる。
【０００９】
即ち、外壁下地面の不陸、施工誤差、あるいは外壁板の寸法誤差等により、多少、上側の外壁板の下辺が前方にずれたり、下側の外壁板の上辺が後方へずれたりしても、上記接合目地部の前端部が上記下端傾斜部の下端部よりも前方に位置していれば、上側の外壁板の下部上実部の影が上記接合目地部に形成されることはない。
そして、上記接合目地部において意匠面が直線的に分断されることなく、外壁全体で意匠面を連続して表出することができる。その結果、外観意匠性に優れた外壁施工構造を得ることができる。
【００１０】
また、上記接合目地部は、上記前端部から下方へ向かうに従って後方へ傾斜した目地傾斜部と該目地傾斜部の下端から鉛直方向に向かって形成された目地平坦部とを有する。
そのため、上記前端部の影を適度に上記目地平坦部に形成することができる。これにより、上記接合目地部にも、他の横目地部の影と同様の影を形成することができる。
また、上記目地平坦部を形成することにより、上記接合目地部が、平坦部を有する他の横目地部と外観上異質なものとなることを防ぐことができる。
そのため、上記接合目地部と上記横目地部とを外観上融合させることができる。その結果、外壁施工構造の優れた外観意匠性を確保することができる。
【００１１】
以上のごとく、本発明によれば、外観意匠性に優れた外壁施工構造を提供することができる。
【発明を実施するための最良の形態】
【００１２】
本発明（請求項１）において、上記外壁板としては、例えば、窯業系材料からなるものを用いることができる。また、上記外壁板は、例えば、タイル調や木目調、及びレンガ調等の意匠が施された意匠面を有することが好ましい。
また、上記目地平坦部は、例えば、上下幅１〜５ｍｍの平面とすることができる。
また、上記意匠面は、上記下端傾斜部の下側に上記外壁板の裏側面と略平行な上下幅０．５〜１．５ｍｍ程度の下端平面を有していてもよい。
本明細書において、上記外壁板における、意匠面側を前方とし、外壁下地面側を後方とする。
【００１３】
また、上記接合目地部の前端部は、上記下端傾斜部の下端部よりも、上記横目地部の深さの５〜２５％の厚み分だけ、前方に突出配置されていることが好ましい（請求項２）。
この場合には、上記接合目地部と他の横目地部とを外観上充分に融合させることができると共に、上述した外壁下地面の不陸、施工誤差、あるいは外壁板の寸法誤差等がある場合においても、上記外壁施工構造の効果を充分に発揮することができる。
【００１４】
上記接合目地部の前端部の突出量が、横目地部の深さの５％の厚み分未満の場合には、上記外壁板の前後のズレが大きく生じたときに、上記接合目地部に、上側の外壁板の下部上実部の影が形成されるおそれがあり、本発明の効果を充分に発揮することが困難となるおそれがある。
一方、上記接合目地部の前端部の突出量が、横目地部の深さの２５％の厚み分を超える場合には、上記接合目地部が他の横目地部と外観上異質なものとなり、上記接合目地部は他の横目地部と外観上融合し難くなるおそれがある。
ここで、上記横目地部の深さとは、例えば、上記外壁板の上記凸部において最も前方に突出している部分から横目地部の底面ラインまでの前後距離をいう。
【００１５】
また、上記下端傾斜部の下端部に対する上記接合目地部の上記前端部の前方への突出量ａと、上記下端傾斜部の下端部に対する上記接合目地部の上記目地平坦部の前方への突出量ｂとは、０．３ａ≦ｂ≦０．９ａの関係を有することが好ましい（請求項３）。
この場合には、上記接合目地部の上記前端部が目立つことを充分に回避することができると共に、上記接合目地部にも、他の横目地部の影と同様の影を形成することができる。これにより、上記接合目地部が上記横目地部と外観上異質なものとなることを充分に防ぐことができるため、上述した外壁施工構造の効果を充分に発揮することができる。
【００１６】
一方、ｂ＜０．３ａである場合、上記接合目地部の上記前端部が目立ち易くなるおそれがある。
また、ｂ＞０．９ａである場合、上記目地平坦部に上記前端部の影が形成され難くなると共に、上記目地平坦部が前方へ配置されすぎ、他の横目地部と外観上の融合し難くなるおそれがある。
【００１７】
また、上記目地傾斜部は、鉛直方向に対して５〜３０°の角度を有することが好ましい（請求項４）。
この場合には、上記接合目地部の上記前端部が目立つことを充分に回避することができると共に、上記接合目地部にも、他の横目地部の影と同様の影を形成することができる。そのため、上述した外壁施工構造の効果を充分に発揮することができる。
【００１８】
一方、鉛直方向に対する上記目地傾斜部の角度が、５°未満の場合、上記接合目地部に、他の横目地部の影と同様の影を形成することが困難となるおそれがある。
また、上記角度が３０°を超える場合、上記前端部が目立ち、上記接合目地部を他の横目地部と外観上融合させることが困難となるおそれがある。
【００１９】
また、上記接合目地部の前端部は、曲面によって構成されていることが好ましい（請求項５）。
この場合には、上記接合目地部の上記前端部が目立つことを充分に回避することができると共に、上記接合目地部にも、他の横目地部の影と同様の影を形成することができる。また、施工時等における上記前端部の欠け発生を防ぐことができる。
また、上記接合目地部の前端部は、例えば、曲率半径が０．５〜１ｍｍの曲面とすることができる。
【実施例】
【００２０】
本発明の実施例にかかる外壁施工構造１につき、図１〜図４を用いて説明する。
本例の外壁施工構造１は、図１〜図４に示すごとく、上辺に設けた上部下実部１１と下辺に設けた下部上実部１２とを有する外壁板１０を、複数枚上下に合決り接合しつつ施工して、外壁を構築してなる。
外壁板１０は、意匠面１００に横目地部２と該横目地部２の間に形成される凸部１０１とを有する。
【００２１】
また、図１、図２に示すごとく、外壁板１０の意匠面１００の下端部には後方に傾斜した下端傾斜部１２０が設けられており、一方、上記意匠面１００の上端には凸部１０１よりも後退した位置に接合目地部１３が設けられている。
また、互いに上下合決り接合された２つの外壁板１０において、上側の外壁板１０の下端傾斜部１２０と、下側の外壁板１０の接合目地部１３とは、上下に隣接配置されている。
【００２２】
また、接合目地部１３の前端部１３０は、下端傾斜部１２０の下端部１２１よりも前方に突出配置されている。
また、図１に示すごとく、接合目地部１３は、前端部１３０から下方へ向かうに従って後方へ傾斜した目地傾斜部１３２と、該目地傾斜部１３２の下端から鉛直方向に向かって形成された目地平坦部１３３とを有している。
【００２３】
また、図２に示すごとく、接合目地部１３の前端部１３０は、下端傾斜部１２０の下端部１２１よりも、横目地部２の深さＤの５〜２５％の厚み分だけ、前方に突出配置されている。横目地部２の深さＤとは、図２に示すごとく、上下に隣接配置されている外壁板１０の凸部１０１において最も前方に突出している部分から、横目地部２の底面ラインＡまでの前後距離をいう。
【００２４】
また、図１に示すごとく、下端傾斜部１２０の下端部１２１に対する接合目地部１３の前端部１３０の前方への突出量ａと、下端傾斜部１２０の下端部１２１に対する接合目地部１３の目地平坦部１３３の前方への突出量ｂとは、０．３ａ≦ｂ≦０．９ａの関係を有する。
【００２５】
また、目地傾斜部１３２は、鉛直方向に対して５〜３０°の角度を有する。
また、目地平坦部１３３は、例えば、上下幅１〜５ｍｍの平面とすることができる。
また、接合目地部１３の前端部１３０は、図１に示すごとく、曲面１３１によって形成されている。本例においては、前端部１３０を、曲率半径が０．５〜１ｍｍの曲面１３１としている。
【００２６】
本例にかかる外壁施工構造１は、図３に示すごとく、ビスや釘等により外壁下地面３に固定した留付け金具４を介して外壁板１０を係止固定して外壁を構築してなる。このとき、外壁板１０は、下部上実部１２の後方に設けられた下辺係合部１２３が留付け金具４の上板係止部４２に係止されると共に、上部下実部１１が留付け金具４の下板係止部４１に係止されることにより、外壁下地面３に留め付けられている。
【００２７】
また、横目地部２の幅や深さは、接合目地部１３の幅や深さと同等とする。
また、意匠面１００には、例えば、図４に示すごとく、レンガ調の意匠が施される。
また、意匠面１００は、図１に示すごとく、下端傾斜部１２０の下側に、外壁板１０の裏側面１４と略平行な上下幅０．５〜１ｍｍの下端平面１２２を有している。
【００２８】
次に、本例の作用効果につき説明する。
外壁施工構造１において、外壁板１０の意匠面１００の下端部には、後方に傾斜した下端傾斜部１２０が形成されている。そのため、上側の外壁板１０の下部上実部１２の影が接合目地部１３に形成されることを防ぐことができる。
また、下側の外壁板１０における接合目地部１３の前端部１３０は、上側の外壁板１０における下端傾斜部１２０の下端部１２１よりも前方に突出している。そのため、接合目地部１３において、上側の外壁板１０の下部上実部１２の影が形成されることを防ぐことができる。
【００２９】
即ち、外壁下地面３の不陸、施工誤差、あるいは外壁板１０の寸法誤差等により、多少、上側の外壁板１０の下辺が前方にずれたり、下側の外壁板１０の上辺が後方へずれたりしても、接合目地部１３の前端部１３０が下端傾斜部１２０の下端部１２１よりも前方に位置していれば、上側の外壁板１０の下部上実部１２の影が接合目地部１３に形成されることはない。
そして、接合目地部１３において意匠面１００が直線的に分断されることなく、外壁全体で意匠面１００を連続して表出することができる。その結果、外観意匠性に優れた外壁施工構造１を得ることができる。
【００３０】
また、接合目地部１３は、前端部１３０から下方へ向かうに従って後方へ傾斜した目地傾斜部１３２と該目地傾斜部１３２の下端から鉛直方向に向かって形成された目地平坦部１３３とを有する。
そのため、前端部１３０の影を適度に目地平坦部１３３に形成することができる。これにより、接合目地部１３にも、他の横目地部２の影と同様の影を形成することができる。
また、目地平坦部１３３を形成することにより、接合目地部１３が、平坦部を有する他の横目地部２と外観上異質なものとなることを防ぐことができる。
そのため、接合目地部１３と他の横目地部２とを外観上融合させることができる。その結果、外壁施工構造１の優れた外観意匠性を確保することができる。
【００３１】
また、接合目地部１３の前端部１３０は、下端傾斜部１２０の下端部１２１よりも、横目地部１２の深さＤの５〜２５％の厚み分だけ、前方に突出配置されている。
そのため、接合目地部１３と他の横目地部２とを外観上充分に融合させることができると共に、上述した外壁下地面３の不陸、施工誤差、あるいは外壁板１０の寸法誤差等がある場合においても、上側の外壁板１０の下部上実部１２の影が接合目地部１３に形成されることはない。
【００３２】
接合目地部１３の前端部１３０は、下端傾斜部１２０の下端部１２１に対する接合目地部１３の前端部１３０の前方への突出量ａと、下端傾斜部１２０の下端部１２１に対する接合目地部１３の目地平坦部１３３の前方への突出量ｂとは、０．３ａ≦ｂ≦０．９ａの関係を有する。
これにより、接合目地部１３の前端部１３０が目立つことを充分に回避することができると共に、接合目地部１３にも、他の横目地部２の影と同様の影を形成することができる。これにより、接合目地部１３が横目地部２と外観上異質なものとなることを充分に防ぐことができる。
【００３３】
また、目地傾斜部１３２は、鉛直方向に対して５〜３０°の角度を有している。
これにより、接合目地部１３の前端部１３０が目立つことを充分に回避することができると共に、接合目地部１３にも、他の横目地部２の影と同様の影を形成することができる。
【００３４】
また、接合目地部１３の前端部１３０は、図１に示すごとく、曲率半径が０．５〜１ｍｍの曲面１３１によって形成されている。
これにより、接合目地部１３の前端部１３０が目立つことを充分に回避することができると共に、接合目地部１３にも、他の横目地部２の影と同様の影を形成することができる。また、施工時等における前端部１３０の欠け発生を防ぐことができる。
【００３５】
以上のごとく、本例によれば、外観意匠性に優れた外壁施工構造を提供することができる。
【図面の簡単な説明】
【００３６】
【図１】実施例における、外壁施工構造の上下合決り接合部の断面説明図。
【図２】実施例における、外壁施工構造の断面説明図。
【図３】実施例における、外壁施工構造の斜視図。
【図４】実施例における、外壁施工構造の正面図。
【図５】従来例における、外壁施工構造の断面説明図。
【図６】従来例における、上側の外壁板が前方にずれた状態を表す、外壁施工構造の断面説明図。
【符号の説明】
【００３７】
１  外壁施工構造
１０  外壁板
１００  意匠面
１０１  凸部
１１  上部下実部
１２  下部上実部
１２０  下端傾斜部
１２１  下端部
１３  接合目地部
１３０  前端部
１３２  目地傾斜部
１３３  目地平坦部
２  横目地部
【図１】
2006265955.tif 000003
【図２】
2006265955.tif 000004
【図３】
2006265955.tif 000005
【図４】
2006265955.tif 000006
【図５】
2006265955.tif 000007
【図６】
2006265955.tif 000008